(57)【特許請求の範囲】
【請求項１】
土壌を膨軟にするために、トラクタの後部に連結されるロータリー耕耘装置と、
膨軟にされた土壌を盛り上げて畦を成形するために、フレームに１又は複数の畦成形板が取付けられて、前記ロータリー耕耘装置の直後に装着される畦成形ユニットと、
前記ロータリー耕耘装置の耕深を定めるために、当該ロータリー耕耘装置の後方に配置された少なくとも２本の接地輪を有する接地輪ユニットとを備え、
前記畦成形板は、畦の上面及び両側面をそれぞれ成形する上面成形板及び左右一対の側面成形板とから成って、当該上面成形板は、作業方向に沿って前部が後部に対して高くなるように傾斜配置され、
前記トラクタの走行により、前記畦成形ユニットの畦成形板により畦を成形するための畦成形装置であって、
前記畦成形ユニットは、自身の自重により成形中の畦面に押し付けられるように、前記ロータリー耕耘装置に昇降可能となって装着され、
前記畦成形ユニットの自重により前記畦成形板を常に成形中の畦の上面に押し付けて畦成形している状態で、前記ロータリー耕耘装置の耕深が基準値よりも深くなることで、前記上面成形板が抱え込む余剰の土壌の量が所定量を超えて、当該畦成形板の前進抵抗が大きくなった場合には、所定量を超える前記余剰土壌の存在により、前記畦成形ユニットは、その自重に抗して上方に移動することで、前記耕深を前記基準値に保持して畦成形されることを特徴とする畦成形装置。
【請求項２】
前記畦成形ユニットは、付勢手段により下方に付勢された状態で、前記ロータリー耕耘装置に昇降可能となって装着されていることを特徴とする請求項１に記載の畦成形装置。
【請求項３】
前記畦成形ユニットのフレームには、左右一対の連結アームが前方に向けて取付けられていて、当該一対の連結アームの先端部は、連結ピンを介してロータリー耕耘装置の上面カバーの前部に回動可能に連結されていることを特徴とする請求項１又は２に記載の畦成形装置。
【請求項４】
前記付勢手段は、圧縮バネであって、その復元力が調整可能であることを特徴とする請求項２に記載の畦成形装置。
【請求項５】
前記接地輪ユニットは、前記畦成形ユニットを構成する一つの畦成形板により形成される一つの畦の両側部、又は複数の畦成形板により形成される複数の畦の間、及び両端の畦の外側に配置される２本又はそれ以上の幅広の接地輪を備え、各接地輪により、隣接する畦の間の溝部の底面を押し付けて平坦に仕上げる構成であることを特徴とする請求項１ないし４のいずれかに記載の畦成形装置。
【発明の詳細な説明】
【技術分野】
【０００１】
本発明は、ロータリー耕耘装置の直後に畦成形ユニットが装着され、トラクタの走行により、前記ロータリー耕耘装置により膨軟にされた土壌を前記畦成形ユニットの畦成形板により畦を成形するための畦成形装置に関するものである。
【０００２】
本明細書においては、「耕深」とは、ロータリー耕耘装置の耕耘深さを指し、「沈み込み量」とは、土壌面に対して畦成形板又はトラクタの車輪が沈み込んだ深さを指す。
【背景技術】
【０００３】
トラクタの走行により圃場に畦を成形する畦成形装置は、土壌を膨軟にするために、トラクタの後部に連結されるロータリー耕耘装置と、一つ又は複数の畦成形板を有し、膨軟にされた土壌を盛り上げて畦を成形するために、前記ロータリー耕耘装置の直後に装着される畦成形ユニットと、前記ロータリー耕耘装置の耕深を定めるための少なくとも二本の接地輪を有する接地輪ユニットとを備え、トラクタの走行により、前記畦成形ユニットの畦成形板により畦を成形するものである。
【０００４】
従来の畦成形装置は、特許文献１に示されるように、畦成形ユニットは、ロータリー耕耘装置に対して一体に装着されていた。畦成形板は、少なくとも畦の上面及び両側面を成形する１枚の上面成形板と、左右一対の側面成形板とから成り、計３枚の成形板が等脚台形状に配置される。なお、上面成形板は、平板に限られず、横断面が円弧状の板で形成されることもあり、特に、形成する畦が１つである「丸畦」、「平高畦」の場合には、後者の形状が多い。
【０００５】
一方、圃場の土壌の硬軟、圃場の耕盤の深さ位置の相違等の関係からして、トラクタの車輪、ロータリー耕耘装置は、圃場面（土壌面）に対する耕深の変化を行いながら、畦成形の作業が行われる。
【０００６】
このため、図１０に示されるように、圃場の土壌の柔かい部分、或いは耕盤の深い部分にロータリー耕耘装置Ｒが達すると、当該ロータリー耕耘装置Ｒの耕深及び当該装置Ｒに一体に設けられた畦成形板９１全体の沈み込み量が、今までよりも大きくなった状態で、土壌が膨軟にされて、畦が成形される。そして、ロータリー耕耘装置Ｒにより膨軟にされた土壌の全てが畦の成形に使用される。このため、畦の表面が従来よりも下がった状態で、畦が成形される結果、畦表面が下がることで、畦成形板９１に対する土量が多くなって、畦成形に使用されない余剰の土壌は、畦成形板９１を構成する上面成形板９２により前方に運ばれることになる。ここで、例えば、耕盤が１〜２ｃｍ程度だけ深くなっても、その長さが長い場合には、前方に運ばれる土壌の量は多大となる。畦成形板９１は、上面成形板９２と一対の側面成形板９３とから成り、図示のように、上面成形板９２は、作業方向に沿った前部が後部に対して高くなるように傾斜配置されている。なお、図１０において、９４、９５は、それぞれロータリー耕耘装置Ｒが沈み込むことで、耕深が深くなった部分、及び畦上面の下がった部分を示し、９６は、前方に運ばれる余剰の土壌を示す。
【０００７】
上記のことが何回も繰り返されると、圃場の両畦端に土壌が運ばれて、両畦端の高さが残りの部分よりも高くなってしまうので、圃場全体を平坦にするため、数年毎に、両畦端の土壌を中央部に戻す作業が必要となり、この土壌の戻し作業は、大変に面倒な作業である。
【０００８】
一方、土壌の硬い部分、或いは耕盤の浅い部分においては、畦成形装置を構成する上面成形板が土壌面よりも上方に配置されてしまうことがあり、この場合には、畦の上面を成形できなくて、完全な畦が成形できない場合がある。
【０００９】
また、トラクタの後部に連結されるロータリー耕耘装置に対して畦成形装置が一体に装着されていて、当該ロータリー耕耘装置を下降させる途中において、畦成形板と接地輪が土壌面に当たってしまうために、畦成形の開始時において、畦端（圃場端）から完成畦が形成されるまでの長さが長くなり、成形済の完成畦と接続させるべく、手作業により畦端部の畦成形をする長さが長くなる問題もあった。同様の問題は、畦の形成端部において、ロータリー耕耘装置を上昇させる場合において、当該ロータリー耕耘装置と畦成形装置とが一体となって上昇されるために、畦の形成端部に形成される未完成畦の長さが長くなってしまう。
【００１０】
また、傾斜地において畦成形を行う場合には、畦成形装置がロータリー耕耘装置に対して一体に装着されているために、傾斜面を上って畦成形作業を行う場合、畦成形板を所要の畦高に調整すると、傾斜面を下って畦成形作業を行う場合には、畦高は、本来の畦高よりも低くなってしまい、一定高さの畦を成形できない問題があった。なお、ここでいう「傾斜地」とは、大きな圃場において大きな凹凸部が形成されている場合には、当該凹凸部において形成される傾斜面を含むものである。
【先行技術文献】
【特許文献】
【００１１】
【特許文献１】特開平８−１１６７１１号公報
【発明の概要】
【発明が解決しようとする課題】
【００１２】
本発明は、圃場の土壌の硬軟、或いは耕盤の起伏等が原因で発生するロータリー耕耘装置の耕深の変化を制御することで、畦成形装置の畦成形板の前方の土量を一定にして、畦成形板が余剰の土壌を前方に運ばないようにすることを課題としている。
【課題を解決するための手段】
【００１３】
上記課題を解決するための請求項１の発明は、土壌を膨軟にするために、トラクタの後部に連結されるロータリー耕耘装置と、
膨軟にされた土壌を盛り上げて畦を成形するために、フレームに１又は複数の畦成形板が取付けられて、前記ロータリー耕耘装置の直後に装着される畦成形ユニットと、
前記ロータリー耕耘装置の耕深を定めるために、当該ロータリー耕耘装置の後方に配置された少なくとも２本の接地輪を有する接地輪ユニットとを備え、
前記畦成形板は、畦の上面及び両側面をそれぞれ成形する上面成形板及び左右一対の側面成形板とから成って、当該上面成形板は、作業方向に沿って前部が後部に対して高くなるように傾斜配置され、
前記トラクタの走行により、前記畦成形ユニットの畦成形板により畦を成形するための畦成形装置であって、
前記畦成形ユニットは、自身の自重により成形中の畦面に押し付けられるように、前記ロータリー耕耘装置に昇降可能となって装着され、
前記畦成形ユニットの自重により前記畦成形板を常に成形中の畦の上面に押し付けて畦成形している状態で、前記ロータリー耕耘装置の耕深が基準値よりも深くなることで、前記上面成形板が抱え込む余剰の土壌の量が所定量を超えて、当該畦成形板の前進抵抗が大きくなった場合には、所定量を超える前記余剰土壌の存在により、前記畦成形ユニットは、その自重に抗して上方に移動することで、前記耕深を前記基準値に保持して畦成形されることを特徴としている。
【００１４】
請求項１の発明によれば、前記畦成形ユニットは、前記ロータリー耕耘装置のフレームに対して昇降可能に装着されているため、土壌の膨軟性の相違、耕盤の起伏等により、トラクタの車輪の沈み込み量が多少変化しても、即ち、当該トラクタに連結されたロータリー耕耘装置の沈み込み量が多少変化しても、畦成形ユニットを構成する１又は複数の畦成形板は、ロータリー耕耘装置により膨軟にされた土壌の表面位置に定められた配置位置を自ら選択（制御）しながら、１又は複数の畦が成形される。
【００１５】
即ち、耕盤の深さ位置の変化、或いは土壌の膨軟性の変化により、圃場の「一般部（ロータリー耕耘装置の耕深が基準値を保持することで、作業方向に沿った前部が後部よりも高くなるように配置された畦成形板の上面成形板の配置部分の土量が適正に保持されている部分）」に対してロータリー耕耘装置が必要量だけ下降又は上昇することで、ロータリー耕耘装置の耕深が変化した場合においては、ロータリー耕耘装置に一体に装着された従来構造の畦成形板では、ロータリー耕耘装置の耕深の変化に応じて、畦成形板の上下方向に沿った配置位置が変化するために、畦成形板により保持される土量は変化するのに対して、請求項１の発明では、畦成形ユニットは、前記ロータリー耕耘装置のフレームに対して昇降可能に装着されているために、接地輪の接地面の位置も上下方向に変化して、ロータリー耕耘装置の耕深が制御されて、畦成形ユニットの畦成形板により保持される土量は、ほぼ一定している。
【００１６】
上記した請求項１の発明の作用について、一般部に比較して耕深が深くなった場合と、浅くなった場合とに分けて、更に理論的に述べる。耕深が深くなった場合には、深くなった当初においては、畦成形板は、ロータリー耕耘装置と一体となって畦成形板も一般部よりも下がることで、畦成形板が抱え込む土量が多くなって、畦成形板の抵抗が大きくなり、この結果、トラクタの牽引抵抗が大きくなる。畦成形ユニットには、畦成形板を上方に持ち上げようとするモーメント又は力が生じて、畦成形板は、畦成形ユニットの自重に抗してロータリー耕耘装置に対して徐々に上昇すると同時に、隣接する畦間に形成される溝の深さ（上下方向の位置）も、耕深が深くなった当初に比較すると高くなって、接地輪の接地面の位置も高くなって、ロータリー耕耘装置も上昇して、一般部と同等の耕深に戻ろうとする。即ち、耕深が一般部に対して深くなると、畦成形ユニットの自重に抗してロータリー耕耘装置に対して畦成形板が上昇することで、ロータリー耕耘装置の耕深自体を一般部の耕深に近付けるような作用が生ずるのであり、これにより、耕深が深くなろうとする部分（従来の畦成形装置では、深い耕深が持続されてしまう部分）においては、ロータリー耕耘装置は、一般部に近い耕深に戻ろうとする上記作用が生ずるために、耕深が制御されて、畦成形板が配置部分で抱え込む土量を一般部と同等にすることができて、徐々に増大する余剰の土量を抱え込むことがなくなって、安定した畦成形作業が可能となる。
【００１７】
一方、耕深が浅くなった場合には、浅くなった当初は、畦成形板の上面成形板の配置部分で抱え込む土量が減少するので、耕深が浅くなったのに対応して、接地輪の上下方向の位置は、一般部に対して高くなるが、畦成形ユニットの自重により、ロータリー耕耘装置に対して畦成形板が徐々に下降して、畦間に形成される溝の深さに関しても、耕深が浅くなった当初に比較して、接地輪の位置は下がることで、ロータリー耕耘装置自体の配置位置も下がって、一般部と同等の耕深に戻ろうとする。このように、耕深が浅い部分に達した場合においても、耕深が深い部分に達した場合と同様に、ロータリー耕耘装置は、一般部に近い耕深に戻ろうとする作用が生ずる。
【００１８】
即ち、ロータリー耕耘装置の耕深が一般部に比較して深くなった場合には、ロータリー耕耘装置に対して畦成形板が僅かに上昇すると共に、ロータリー耕耘装置の耕深が一般部に比較して浅くなった場合には、ロータリー耕耘装置に対して畦成形板が僅かに下降することで、畦成形板の上面成形板の配置部分には、常に畦成形に必要な適量の土量が抱え込まれることになる。このように、請求項１の発明においては、ロータリー耕耘装置の耕深を制御して、畦成形板の上面成形板の配置部分には、常に必要量の土量が確保されることで、自動土量調整機能を備えているため、従来の畦成形板のように、余剰の土壌が累積されて、そのまま前方に運ばれるという不具合が解消されると共に、常に畦成形板により定められた高さの畦が成形される。なお、現実の畦成形においては、ロータリー耕耘装置に対する畦成形板の昇降量は、僅かである。
【００１９】
また、畦成形ユニットの畦成形板、即ち、一枚の上面成形板及び一対（二枚）の側面成形板は、畦成形板の自重によって、常時、畦の成形面に押圧された状態で、畦が成形されるので、畦の成形面である上面及び両側面が、全長に亘って、畦成形板の形状に倣った均一な表面性状に仕上げられる。
【００２０】
また、従来の畦成形装置では、ロータリー耕耘装置に対して畦成形ユニットが一体に装着されているため、ロータリー耕耘装置の耕深が深く（大きく）なると、これに応じて畦成形ユニットの畦成形板が沈み込んで、畦成形板の前側に土を盛り上げて前進するようになるので、トラクタの牽引抵抗が大きくなって、トラクタの前進速度が低下して、作業能率が低下する。しかし、請求項１の発明では、ロータリー耕耘装置の耕深の変化に応じて、当該ロータリー耕耘装置に対して畦成形ユニットが相対的に昇降して、ロータリー耕耘装置の耕深が制御され、畦成形板は、常に畦成形に必要な量を確保した状態で畦成形が行われるので、トラクタの牽引抵抗が大きくなることはない。
【００２１】
圃場の端部において、トラクタの後部に３点ヒッチリンクを介して連結されたロータリー耕耘装置を下げて、畦成形の作業を開始する際に、畦成形板は、畦成形ユニットの自重によりりロータリー耕耘装置に対して最も低い位置に達しており、ロータリー耕耘装置に対して最も低い位置に達している畦成形板により、従来のロータリー耕耘装置に一体化された畦成形板に比較して、接地輪の走行溝が深く形成されて、ロータリー耕耘装置が一般部の耕深に短距離で達し、畦成形に必要な土量が確保される。この結果、圃場端から完成畦が形成される部分までの長さは極めて短くなって、完成畦と接続させるために、手作業により成形せざるを得ない畦は、殆どなくなる。また、畦の成形端部（畦成形の開始と反対側の端部）においては、畦成形板により運ばれる余剰の土壌がないので、畦の形成端に近い部分まで完成畦の成形が可能となる。
また、傾斜地において、傾斜面を上って畦成形を行う場合には、ロータリー耕耘装置と一体となって土壌面に沈み込もうとする畦成形ユニットの畦成形板は、畦成形ユニットの自重に抗して上方に持ち上げられることで、畦成形板の大きさに応じた一定量の土量の確保を行いながら畦成形されると共に、傾斜面を下って畦成形を行う場合には、ロータリー耕耘装置と一体となって土壌面に対して浮き上がろうとする畦成形ユニットの畦成形板は、当該畦成形ユニットの自重により下方に押し付けられることで、畦成形板の大きさに応じた一定量の土量を確保しながら成形される。よって、傾斜面に沿って畦成形する場合において、上り下りともに、畦高を一定に確保できる。
【００２２】
請求項２の発明は、請求項１の発明において、前記畦成形ユニットは、付勢手段により下方に付勢された状態で、前記ロータリー耕耘装置に昇降可能となって装着されていることを特徴としているので、畦成形中において、ロータリー耕耘装置と一体となって浮き上がることがない。
【００２３】
請求項３の発明は、請求項１又は２の発明において、前記畦成形ユニットのフレームには、左右一対の連結アームが前方に向けて取付けられていて、当該一対の連結アームの先端部は、連結ピンを介してロータリー耕耘装置の上面カバーの前部に回動可能に連結されていることを特徴としている。
【００２４】
請求項３の発明によれば、畦成形ユニットは、当該畦成形ユニットをロータリー耕耘装置に連結している一対の連結アームの回動により、当該ロータリー耕耘装置に対して必要量だけ昇降（上下動）する構成であるので、最も簡単な構成によって、ロータリー耕耘装置に対して畦成形ユニットを昇降可能に装着できる。また、一対の連結アームは、ロータリー耕耘装置の上面カバーの前部に連結すると、連結アームの長さを長くすることができ、連結アームの回動時において、当該連結アームにおける畦成形ユニットを装着した部分の動きは、前後方向の移動量が少なくなって、上下方向の動きが主体となるので、畦成形ユニットの昇降に対して効果的に作用する。
【００２５】
請求項４の発明は、請求項２の発明において、前記付勢手段は、圧縮バネであって、その復元力が調整可能であることを特徴としている。
【００２６】
請求項４の発明によれば、圧縮バネの復元力の調整により、畦成形板により形成される畦面に対する当該畦成形板の押付け力の調整が可能となって、成形される畦の表面状態を微妙に調整できる。
【００２７】
請求項５の発明は、請求項１ないし４のいずれかの発明において、前記接地輪ユニットは、前記畦成形ユニットを構成する１つの畦成形板により形成される１つの畦の両側部、又は複数の畦成形板により形成される複数の畦の間、及び両端の畦の外側に配置される２本又はそれ以上の幅広の接地輪を備え、各接地輪により、隣接する畦の間の溝部の底面を押し付けて平坦に仕上げる構成であることを特徴としている。
【００２８】
請求項５の発明によれば、ロータリー耕耘装置の耕深を定めるための接地輪を幅広にして、全ての畦の間の溝部に配置することで、隣接する畦の間の溝部の底面を押し付けて仕上げるための仕上輪としての機能が付与されているので、前記溝部の底面の膨軟な土壌を綺麗な平坦面に仕上げることができる。
【発明の効果】
【００２９】
本発明によれば、圃場の土壌の硬軟、或いは耕盤の起伏等が原因となって、ロータリー耕耘装置の耕深が一般部に対して変化しても、畦成形ユニットは、前記ロータリー耕耘装置のフレームに対して昇降可能に装着されているため、畦成形板が配置されている部分の土量は、ロータリー耕耘装置の耕深の制御により、ほぼ一定となる。この結果、畦成形板（正確には、上面成形板）配置部分に余剰の土壌が発生することはなくなって、当該余剰の土壌が前方に運ばれる現象が生じなくなると共に、成形される畦は、畦成形ユニットの自重により押し付けられているため、常に畦成形板に対応した形状の畦が成形されて、畦形状が崩されることはない。
【００３０】
また、畦成形ユニットの上面成形板は、畦成形の開始直後から終了直前まで、その配置部分に畦成形に必要な適量の土量を抱え込んだ状態で、畦成形されるため、余剰の土壌が運ばれることがなくなると共に、畦の両端部の近傍まで完成畦が成形されて、未完成畦の長さは、極めて短くなる。更に、傾斜地における畦成形においても、傾斜地に沿った上り下りとは無関係に、一定の畦高の畦の成形が可能となる。
【００３１】
更に、畦成形板は、付勢手段の付勢力（押付け力）により、成形中に畦面に対して弾力的に押し付けられた状態で畦が形成されるので、畦の全長に亘って、畦面は均一な性状に仕上げられることで、畦面が綺麗となる。
【図面の簡単な説明】
【００３２】
【図１】本発明に係る畦成形ユニットＡが装着されたロータリー耕耘装置Ｒを後方から見た斜視図である。
【図２】畦成形ユニットＡ及び接地輪ユニットＢをロータリー耕耘装置Ｒから分離させた状態の斜視図である。
【図３】本発明に係る畦成形ユニットＡが装着されたロータリー耕耘装置Ｒを前方から見た斜視図である。
【図４】トラクタＴの後部にロータリー耕耘装置Ｒが装着されて、畦成形作業を行っている状態の側面図である。
【図５】一般部において畦成形作業を行っている状態の畦成形ユニットＡの側面図である。
【図６】同様の状態の平面図である。
【図７】畦成形板１２を構成する上面成形板１３及び側面成形板１４ａ（１４ｂ，１４ｃ）、並びに接地輪Ｗの配置を示す畦Ｋの断面図である。
【図８】ロータリー耕耘装置Ｒの耕深が深くなった当初における畦成形ユニットＡの側面図である。
【図９】ロータリー耕耘装置Ｒの耕深が浅くなった当初における畦成形ユニットＡの側面図である。
【図１０】（ａ），（ｂ）は、それぞれロータリー耕耘装置Ｒに一体に装着された従来の畦成形板９１により、一般部、及び一般部に対してロータリー耕耘装置Ｒが僅かに沈み込んだ部分を畦成形している状態の側面図である。
【発明を実施するための形態】
【００３３】
以下、実施例を挙げて、本発明を更に詳細に説明する。図４に示されるように、トラクタＴの後部に３点ヒッチリンク１を介してロータリー耕耘装置Ｒが昇降可能に装着され、ロータリー耕耘装置Ｒには、トラクタＴのＰＴＯ軸（図示せず）の動力が伝達されて、駆動軸２が駆動回転される。駆動軸２には、多数本の耕耘爪３が取付けられ、当該耕耘爪３のダウンカット回転により、圃場の土壌が破砕されて膨軟化される。ロータリー耕耘装置Ｒの上面カバー４の上面における幅方向の中央部には、トラクタＴの３点ヒッチリンク１に連結されるフレーム状のマスト部５が上方に突出して設けられている。なお、図４において、６，７は、それぞれトラクタＴの前輪及び後輪を示す。
【００３４】
畦成形ユニットＡは、図１〜図６に示されるように、横方向に配置された１本の角パイプから成るフレーム１１に、計３つの畦成形板１２を構成する上面成形板１３及び側面成形板１４ａ（１４ｂ，１４ｃ）が一体に取付けられている。即ち、各畦成形板１２は、畦Ｋの上面を形成する１枚の上面成形板１３と、畦Ｋの両側面を成形する一対の側面成形板１４ａ，１４ｂ〔（１４ａ，１４ｃ），（１４ｂ，１４ｃ）〕とが等脚台形状に配置されることで形成される。上面成形板１３は、前端が高くなるように傾斜配置され、各上面成形板１３の前方には、ロータリー耕耘装置Ｒにより膨軟にされた土壌を押さえ付けて、畦成形板１２による畦成形を容易にするための押付け板１５がほぼ全幅に亘って設けられている。なお、上面成形板１３は、図５、図８及び図９に示されるように、作業方向（トラクタＴの進行方向Ｑと同じ）に沿って前部が後部に対して高くなるように傾斜配置されており、ロータリー耕耘装置Ｒの耕深が深くなると、畦成形板１２のうち当該上面成形板１３により、土が前方に運ばれる。
【００３５】
なお、計６枚の側面成形板１４ａ（１４ｂ，１４ｃ）のうち両端を除く４枚の側面成形板１４ａ，１４ｂは、隣接する２枚の側面成形板１４ａ（１４ｂ）が両畦立板のように機能して畦溝を成形すると共に、両端の各側面成形板１４ｃは、片畦立板のように機能して畦溝を成形する。また、両端の各側面成形板１４ｃには、畦成形の直前において、ロータリー耕耘装置Ｒにより膨軟にされた土壌が側方に流れ出るのを防止する土壌流出防止板１６が設けられ、当該土壌流出防止板１６の後方には、成形済の既存畦が崩されるのを防止するために、当該既存畦の一側面に当てがわれる既存畦保護板１７が配置されている。
【００３６】
畦成形ユニットＡのフレーム１１には、ロータリー耕耘装置Ｒのマスト部５の両側に配置されて、当該畦成形ユニットＡをロータリー耕耘装置Ｒに対して回動可能に連結するための一対の連結アーム２１が一体に取付けられている。連結アーム２１は、ロータリー耕耘装置Ｒの上面カバー４のわん曲形状に対応して中央部が僅かに下方に向けてわん曲された形状となっている。ロータリー耕耘装置Ｒの上面カバー４の前端部における前記マスト部５の両側には、畦成形ユニットＡの一対の連結アーム２１の先端部を連結するための各連結ブラケット２２がそれぞれ設けられている。各連結ブラケット２２は、２個のブラケット単体が一組となっていて、各ブラケット単体の間に各連結アーム２１の先端部が挿入されて、連結ピン２３を介して回動可能に連結される。このため、畦成形ユニットＡは、一対の連結アーム２１を介してロータリー耕耘装置Ｒの上面カバー４の前端部に回動可能に連結されることで、畦成形ユニットＡの畦成形板１２は、ロータリー耕耘装置Ｒに対して昇降（上下動）する構成となる。
【００３７】
畦成形ユニットＡは、一対の連結アーム２１の間に配置される一対のバネ手段（付勢手段）のバネ力（復元力）により、常時下方に付勢されることで、畦成形板１２を構成する上面及び側面の各成形板１３，１４ａ（１４ｂ，１４ｃ）は、成形中の畦Ｋの上面及び両側面を弾力的に押し付ける構成となる。畦成形ユニットＡのフレーム１１の前面には、一対のブラケット単体から成る連結ブラケット２４が前方に向けて設けられている。ロータリー耕耘装置Ｒの上面カバー４の手前側には、一対の側板２５が幅方向に所定間隔をおいて前後方向に設けられ、各側板２５の手前側の端部の間にパイプ状のブラケット取付体２６が横方向（幅方向）に配置されて、当該各側板２５に一体に設けられ、当該ブラケット取付体２６の両端部には、一対のブラケット単体から成る連結ブラケット２７が斜上後方に向けて一体に設けられ、連結ブラケット２７を構成する一対のブラケット単体の間には、バネロッド挿通孔２８が直径方向に設けられたバネ支持体２９が一体となって設けられている。前記バネ手段は、下端部が連結ピン３１を介して前記連結ブラケット２４に連結されて、上端部が前記バネ支持体２９のバネロッド挿通孔２８に挿通されたバネロッド３２と、当該バネロッド３２における調整ナット３３と連結ブラケット２７の間に外嵌された圧縮バネ３４と、ロータリー耕耘装置Ｒに対する畦成形ユニットＡの下方側の回動端を規制するために、前記バネロッド３２の上端部に螺合された回動端規制ナット３５とから成る。バネロッド３２に対する調整ナット３３の螺合位置の変更により、圧縮バネ３４の復元力を調整でき、当該調整により、畦成形板１２を構成する上面成形板１３及び側面成形板１４ａ（１４ｂ，１４ｃ）の成形中の畦面に対する弾性的押付け力が調整されて、成形される畦の表面の状態を調整できる。
【００３８】
上記構成によって、畦成形ユニットＡは、圧縮バネ３４の復元力により下方に付勢された状態となって、ロータリー耕耘装置Ｒに対して一対の連結アーム２１を介して回動可能に連結され、畦成形中において、畦成形板１２を構成する上面及び側面の各成形板１３，１４ａ（１４ｂ，１４ｃ）は、圧縮バネ３４の復元力により、成形中の畦Ｋの上面及び両側面を弾力的に押し付けながら、畦Ｋが成形される。
【００３９】
次に、図１〜図７、特に図２を参照して、接地輪ユニットＢについて説明する。接地輪ユニットＢは、これを構成する複数の接地輪Ｗにより、ロータリー耕耘装置Ｒの耕耘を定めると共に、隣接する畦Ｋの間の溝部Ｇの底面を押し付けて綺麗に仕上げるためのものであり、従来の構造と同一であって、改良部分は存在しないので、畦成形との関係において、簡単に説明する。接地輪ユニットＢは、１本の角パイプから成る取付ロッド４１の前方に枠体部４２を介して左右一対の連結アーム４０が一体に取付けられ、各連結アーム４０の先端部は、前記一対の側板２５の前後方向の中央部にボルト４４及びナット４５によって、前後方向に沿った配置位置を調整可能にして連結され、前記枠体部４２に斜上方に向けて一体に取付けられた連結ブラケット４６に、ロータリー耕耘装置Ｒのマスト部５に設けられた調整棹４７の斜下端部が連結され、前記取付ロッド４１に一定間隔をおいて接地輪支持ロッド４８が垂直下方に向けて設けられ、各接地輪支持ロッド４８の下端部に、隣接する畦Ｋの間に形成される溝部Ｇの幅に対応した幅広の接地輪Ｗが回転可能に支持された構成である。
【００４０】
マスト部５の起立板４９には、支持棹５１の基端部が回動可能に支持され、前記調整棹４７は、当該支持棹５１の内部に大部分が収容されて、調整ハンドル５２の操作により、当該調整棹４７の支持棹５１に対する突出長の調整によって、ロータリー耕耘装置Ｒに対する接地輪ユニットＢ、即ち、複数の接地輪Ｗの高さが調整可能になっていて、ロータリー耕耘装置Ｒの耕耘が調整される。
【００４１】
上記のようにして、ロータリー耕耘装置Ｒに畦成形ユニットＡ及び接地輪ユニットＢの双方が装着された状態において、接地輪ユニットＢの各接地輪Ｗは、畦成形ユニットＡにより成形される各畦Ｋの間の溝部Ｇに配置される。即ち、接地輪ユニットＢの各接地輪Ｗは、畦成形板１２を構成する複数の側面成形板１４ａ（１４ｂ，１４ｃ）のうち、両端の側面成形板１４ｃの側方、及び両畦立板状の一対の側面成形板１４ａ（１４ｂ）の間に配置される。
【００４２】
接地輪ユニットＢは、ロータリー耕耘装置Ｒに一体に装着されていて、各接地輪Ｗの下端位置は、ロータリー耕耘装置Ｒの耕耘爪３により土壌が耕耘される結果、発生する未耕耘の面とほぼ同一である。
【００４３】
次に、図５〜図９を参照して、本発明の作用について説明する。本発明は、耕盤の深さ位置、或いは土壌の膨軟性の変化により、圃場の一般部に対してロータリー耕耘装置Ｒが僅かに下降又は上昇しても、ロータリー耕耘装置Ｒにより膨軟にされた土壌面に対する畦成形板１２の上下方向の配置位置が殆ど変化しないと共に、畦成形板１２を構成する上面成形板１３及び側面成形板１４ａ（１４ｂ，１４ｃ）が成形中に畦面に対して弾力的に押し付けられた状態で、畦Ｋが成形される点に特徴を有するので、この部分について詳細に説明する。
【００４４】
図５は、上記した「一般部」において畦成形している状態の畦成形ユニットＡの側面図である。ロータリー耕耘装置Ｒにより膨軟にされた土壌は、両畦立板状の一対の側面成形板１４ａ（１４ｂ）及び両端の片畦立板状の側面成形板１４ｃにより、両側及び片側に畦立てされるようにして、移動させられて、弾性的に押し付けられることで、側面形状が定められると共に、上面が上面成形板１３により弾性的に押し付けられることで、上面形状が定められて、複数の畦Ｋが同時に成形されて、各畦Ｋの間に溝部Ｇ（図７参照）が成形される。接地輪Ｗは、溝部Ｇに接地圧Ｅ0 で押し付けられている。図５において、θ0 は、連結ピン２３とパイプ状のブラケット取付体２６との各軸心を結ぶ線分と、連結アーム２１における連結ピン２３に連結された一方のストレート部２１ａの軸心とのなす角度（以下、「ロータリー耕耘装置Ｒに対する連結アーム２１の角度」という）を示し、Ｆ0 は、ロータリー耕耘装置Ｒによる土壌の破砕部と未破砕部との境界面を示す。なお、畦成形中において、接地輪Ｗは、上記した境界面Ｆ0 に達するとみなした。なお、図５において、Ｑは、トラクタＴの進行方向を示す。
【００４５】
図８は、耕盤の深さ位置、或いは土壌の膨軟性の変化により、土壌に対するロータリー耕耘装置Ｒの耕深が一般部に対してＤ1 だけ深くなった当初、即ち、土壌の破砕部と未破砕部との境界面Ｆ1 が前記境界面Ｆ0 よりも（Ｄ1 ）だけ深くなった当初の畦成形ユニットＡの側面図である。土壌の一般部において畦成形作業を行っている途中において、耕盤の位置が深くなったり、或いは土壌が柔らかくなったりすることで、ロータリー耕耘装置Ｒの土壌に対する耕深が「一般部」に比較して「Ｄ1 」だけ深くなった場合には、畦成形ユニットＡは、一対の連結アーム２１を介してロータリー耕耘装置Ｒの上面カバー４の先端部に回動可能であって、しかも圧縮バネ３４の復元力により、各畦成形板１２は、成形中に畦面に対して弾力的に押し付けられる構成であるので、耕深が深くなった当初は、ロータリー耕耘装置Ｒ及び各接地輪Ｗは、「一般部」に比較して「Ｄ1 」だけ深く沈み込むことで、畦成形板１２も一時的には、沈み込み量が多くなって、上面成形板１３の配置部分の土量が多くなるが、後述の作用によって、畦成形板１２は、一般部と同等の位置に戻って、即ち、ロータリー耕耘装置Ｒにより膨軟にされた土壌の表面の位置に倣う。なお、耕深が深くなった当初は、畦成形ユニットＡの各畦成形板１２は、当該畦成形ユニットＡの自重、及び圧縮バネ３４の復元力に抗して、ロータリー耕耘装置Ｒに対して畦成形ユニットＡは、図５において、連結ピン２３を中心にして相対的に時計方向に回動すると共に、接地輪Ｗは、隣接する畦Ｋの間の溝部Ｇを前記接地圧Ｅ0 よりも遥かに大きな接地圧Ｅ1 で押し付けることで、自ら更に深い溝部Ｇを形成しながら回転する。
【００４６】
更に詳細に述べると、ロータリー耕耘装置Ｒの耕深が深くなった場合には、深くなった当初においては、ロータリー耕耘装置Ｒと一体となって畦成形板１２も一般部よりも下がって、畦成形板１２が抱え込む土量が多くなることで、畦成形板１２の牽引抵抗が大きくなって、畦成形ユニットＡには、畦成形板１２を上方に持ち上げるモーメントＭが生じて、畦成形板１２は、当該畦成形ユニットＡの自重、及び圧縮バネ３４の復元力に抗してロータリー耕耘装置Ｒに対して徐々に上昇し、同時に隣接する畦間に形成される溝の深さ（上下方向の位置）も、耕深が深くなった当初に比較すると高くなって、接地輪Ｗの接地面の位置が高くなることで、ロータリー耕耘装置Ｒも上昇して、一般部と同等の耕深に戻ろうとする。なお、図８において、３７は、耕深が深くなった当初において、畦成形板１２が一般部よりも下がることで、当該畦成形板１２が抱え込むことになった余剰の土壌を示す。即ち、耕深が一般部に対して深くなると、当該畦成形ユニットＡの自重、及び圧縮バネ３４の復元力に抗してロータリー耕耘装置Ｒに対して畦成形板１２が上昇することで、ロータリー耕耘装置Ｒの耕深自体を一般部の耕深に近付けるような作用が生ずるのであり、これにより、耕深が深くなろうとする部分（従来の畦成形装置では、深い耕深が持続されてしまう部分）においては、ロータリー耕耘装置Ｒの耕深を、一般部に近い耕深に戻ろうとする上記作用が生ずるために、耕深が制御されて、上面成形板１３が抱え込む土量を一般部と同等にすることができて、徐々に増大する余剰の土量を抱え込むことがなくなって、安定した畦成形作業が可能となる。
【００４７】
この結果、ロータリー耕耘装置Ｒは、耕深が深くなった当初においては、「一般部」に比較して「Ｄ1 」だけ大きく沈み込むが、畦成形ユニットＡは、ロータリー耕耘装置Ｒの耕深が制御されることで、膨軟にされた土壌面に対して「一般部」と同一の位置を保持したままで、畦成形される。この作用によって、ロータリー耕耘装置Ｒの耕深が深くなっても、畦成形板１２により畦成形される土量は、一定していて、「一般部」と同一である。よって、従来の畦成形板９１のように、畦成形に必要な土量に対して増大した余剰の土壌が前方に運ばれる不具合は解消される。耕深が深くなった当初では、ロータリー耕耘装置Ｒに対する連結アーム２１の角度（θ1 ）は、前記角度（θ0 ）よりも大きくなる（θ1 ＞θ0 ）。この結果、畦成形板１２は、相対的にロータリー耕耘装置Ｒに対して「Ｄ1 」だけ上昇される。
【００４８】
図９は、耕盤の深さ位置、或いは土壌の膨軟性の変化により、土壌に対するロータリー耕耘装置Ｒの耕深が一般部に対してＤ2 だけ浅くなった当初、即ち、土壌の破砕部と未破砕部との境界面Ｆ2 が前記境界面Ｆ0 よりも（Ｄ2 ）だけ浅くなった当初における畦成形ユニットＡの側面図である。耕盤の深さが浅くなったり、或いは土壌が硬くなったりして、ロータリー耕耘装置Ｒの耕深が「一般部」に比較して浅くなることがある。この場合においても、「一般部」の配置位置に対してロータリー耕耘装置Ｒが僅かに浮き上がっても、畦成形ユニットＡの畦成形板１２は、圧縮バネ３４の復元力により畦面に弾力的に押し付けられているため、ロータリー耕耘装置Ｒと一体となって浮き上がることなく、成形中の畦面に弾力的に押し付けられた状態を維持している。耕深が浅くなった当初では、図５及び図９の比較から明白なように、畦成形ユニットＡは、ロータリー耕耘装置Ｒに対して相対的に反時計方向に回動されることになって、ロータリー耕耘装置Ｒに対する連結アーム２１の角度（θ2 ）は、前記角度（θ0 ）よりも小さくなる（θ1 ＞θ0 ＞θ2 ）。この結果、畦成形板１２は、ロータリー耕耘装置Ｒに対して相対的に「Ｄ2 」だけ下降される。
【００４９】
更に、詳細に述べると、耕深が浅くなった場合には、上面成形板１３が抱え込む土量が減少するので、圧縮バネ３４の復元力により、ロータリー耕耘装置Ｒに対して畦成形板１２が徐々に下降して、畦間に形成される溝部Ｇの深さに関しても、耕深が浅くなった当初に比較して、接地輪Ｗの位置は下がることで、ロータリー耕耘装置Ｒ自体の配置位置も下がって、一般部と同等の耕深に戻ろうとする。このように、耕深が浅い部分に達した場合においても、耕深が深い部分に達した場合と同様に、ロータリー耕耘装置Ｒは、一般部に近い耕深に戻ろうとする作用が生ずる。なお、ロータリー耕耘装置Ｒの耕深が浅い場合においては、接地輪Ｗの接地圧は、終始、一般部における接地輪Ｗの接地圧Ｅ0 と同等である。
【００５０】
畦成形中において、上記した各作用が連続して反復されることで、土壌に対するロータリー耕耘装置Ｒの耕深が変化しても、畦成形ユニットＡの畦成形板１２は、成形中に畦面に対して昇降（上下動）することなく、図７に示されるように、圧縮バネ３４の復元力により、畦Ｋの上面及び両側面は、それぞれ圧力Ｐ1 ，Ｐ2 で弾力的に押し付けられた状態で畦が成形される。換言すると、土壌に対するロータリー耕耘装置Ｒの耕深が変化しても、畦成形板１２の部分の土量は、一定しているため、余剰又は不足の土壌が発生することがなくなって、従来の畦成形板９１におけるように、余剰の土壌を前方に運ばれる不具合が解消されると共に、畦成形板９１がロータリー耕耘装置Ｒと一体となって浮き上がることで、その上面成形板が土壌面から離れてしまって、完全な畦が成形できないという不具合も解消される。このように、畦成形ユニットＡの畦成形板１２は、畦成形の開始直後から終了直前まで、高さ方向に沿って畦成形に必要な位置に配置されているために、余剰の土壌が運ばれることがなくなると共に、畦の両端部の近傍まで完成畦が成形されて、未完成畦の長さは、極めて短くなる。
【００５１】
なお、隣接する畦Ｋの間の溝部Ｇの底面は、膨軟な土壌のままであって、畦成形中において、接地輪ユニットＢを構成する幅広の各接地輪Ｗにより押し付けられることで、平坦に仕上げられる。
【００５２】
上記実施例では、ロータリー耕耘装置Ｒに対して畦成形ユニットＡを回動可能に連結する一対の連結アーム２１の先端部は、ロータリー耕耘装置Ｒの上面カバー４の先端部に連結されることで、当該連結アーム２１の長さを長くできて、畦成形ユニットＡとの連結部においては、前後方向の動きが少なくなって、本来必要な上下方向の動きのみが得られる利点がある。しかし、一対の連結アーム２１の先端部は、ロータリー耕耘装置Ｒのどの部分に連結されてもよく、上面カバー４の手前側の端部に連結してもよい。
【００５３】
上記実施例のように、ロータリー耕耘装置Ｒに対して畦成形ユニットＡを回動可能に連結する手段として、一対の連結アーム２１を選択すると、構成が簡単で配置スペースも小さくて済む利点がある。しかし、本発明においては、畦成形ユニットＡは、ロータリー耕耘装置Ｒの耕深の変化に応じて当該ロータリー耕耘装置Ｒに対して昇降する構成であればよいので、その機構は、前記一対の連結アーム２１に限定されず、例えば、平行リンク機構によって、ロータリー耕耘装置Ｒに対して畦成形ユニットＡを昇降させる構成にしてもよい。平行リンク機構によれば、畦成形板は、本来必要な上下方向のみに移動して、不必要な前後方向への移動がなくなる利点がある。
【００５４】
上記実施例は、複数の畦成形板１２を有する畦成形ユニットＡを使用することで、複数の畦を同時に成形しているが、本発明は、１つの畦成形板を備えることで、幅広の１つのみの畦を成形する場合に対しても実施可能である。
【００５５】
上記実施例では、ロータリー耕耘装置Ｒの耕深を定めるための接地輪ユニットＢは、回転可能な複数の接地輪Ｗを有しているが、接地輪Ｗに替えて、畦Ｋの間の溝部Ｇの底面をそりのように摺動する「そり状部材」を用いることも可能である。
【符号の説明】
【００５６】
Ａ：畦成形ユニット
Ｂ：接地輪ユニット
Ｇ：隣接する畦の間の溝部
Ｋ：畦
Ｒ：ロータリー耕耘装置
Ｔ：トラクタ
Ｗ：接地輪
θ1 ，θ2 ，θ3 ：ロータリー耕耘装置の基準部に対する連結アームの角度
１２：畦成形板
１３：上面成形板
１４a,１４b,１４c ：側面成形板
２１：連結アーム
２３：連結ピン
３２：バネロッド（付勢手段）
３３：調整ナット
３４：圧縮バネ（付勢手段）
３５：回動端規制ナット
【図１】
0006352093.tif 000002
【図２】
0006352093.tif 000003
【図３】
0006352093.tif 000004
【図４】
0006352093.tif 000005
【図５】
0006352093.tif 000006
【図６】
0006352093.tif 000007
【図７】
0006352093.tif 000008
【図８】
0006352093.tif 000009
【図９】
0006352093.tif 000010
【図１０】
0006352093.tif 000011